(57)【要約】【課題】区画壁に沿って屋内階段を設ける場合であっても、区画壁の耐火性能を損なったり、美観を損なったりすることなく、空間を有効に活用することが可能な構成を有する建物を提供する。【解決手段】外周壁２に囲まれた内部空間を第１空間３と第２空間４とに区画する区画壁５と、第２空間４において区画壁５に沿って設置された階段４２と、を備える建物であって、区画壁５は、第１面材５１ｂ、及び第１面材５１ｂが取り付けられた第１下地材５１ａを有するとともに所定の耐火性能を有する第１壁部５１と、第１面材５１ｂに対して第２空間４側に対向配置された第２面材５２ｂ、及び第２面材５２ｂが取り付けられた第２下地材５２ａを有する第２壁部５２と、を備え、第１壁部５１と第２壁部５２の間に、階段４２を支持する階段支持柱１１が設けられている。【選択図】図２
2018168578.tif 000002
【特許請求の範囲】
【請求項１】
外周壁に囲まれた内部空間を第１空間と第２空間とに区画する区画壁と、前記第２空間において該区画壁に沿って設置された階段と、を備える建物であって、
前記区画壁は、第１面材、及び該第１面材が取り付けられた第１下地材を有するとともに所定の耐火性能を有する第１壁部と、
前記第１面材に対して前記第２空間側に対向配置された第２面材、及び該第２面材が取り付けられた第２下地材を有する第２壁部と、を備え、
前記第１壁部と前記第２壁部の間に、前記階段を支持する階段支持柱が設けられている、ことを特徴とする、建物。
【請求項２】
前記階段支持柱は、前記第２空間側から見た正面視において、前記第１下地材及び第２下地材に重ならないように配置されている、請求項１に記載の建物。
【請求項３】
複数の前記第１下地材が、前記第１面材に沿って所定の間隔で立設されており、
複数の前記第２下地材が、前記第２面材に沿って所定の間隔で立設されており、
前記第１下地材及び第２下地材は、前記第２空間側から見た正面視において、互いに重ならないように配置されている、請求項１または２に記載の建物。
【請求項４】
前記区画壁の内部において前記第１壁部と前記階段支持柱の間に遮音材が配置されている、請求項３に記載の建物。
【請求項５】
前記階段支持柱は、前記区画壁の厚さ中心よりも前記第２面材側に配置されている、請求項１〜４の何れか一項に記載の建物。
【請求項６】
前記階段支持柱の中間部には、前記第２面材よりも前記第２空間側に突出するブラケットが設けられており、前記階段は該ブラケットを介して前記階段支持柱に支持されている、請求項１〜５の何れか一項に記載の建物。
【請求項７】
前記階段の段板部材における前記区画壁側の縁部が、前記区画壁に取り付けられた振動抑制手段によって上方から抑えられている、請求項１〜６の何れか一項に記載の建物。
【発明の詳細な説明】
【技術分野】
【０００１】
本発明は建物に関し、特には、屋内に階段を備えた建物に関する。
【背景技術】
【０００２】
従来から、屋内に階段を有する住宅等の建物が知られている。例えば、特許文献１には、踊り場を有する折返し階段を内部に備えた建物が開示されている。このような階段を設置する場合、踊り場等の階段の中間部分は、上階または下階における床または梁に接続されないため、別途、柱を設けて当該中間部分を支持するといった方法が提案されている。
【０００３】
ところで、例えば集合住宅や二世帯住宅等、複数の住戸を備える建物において、隣接する２つの住戸を区画する壁、あるいは、屋内廊下や屋内階段等の屋内共用部を有する建物において、住戸と屋内共用部を区画する壁には、所定の耐火性能を有することが求められている。
【先行技術文献】
【特許文献】
【０００４】
【特許文献１】特開２０１０−１３９２５号公報
【発明の概要】
【発明が解決しようとする課題】
【０００５】
そして、このような所定の耐火性能を有する区画壁の内部に柱を設置しようとすると、区画壁における階段側の面材の一部（階段を柱に固定するためのボルト、ビス、接合金物等の固定部の部分）を欠損させなければならず、耐火性能が損なわれてしまう虞がある。
【０００６】
そのため、このような区画壁に沿って屋内階段を設ける場合には、耐火性能を損なわないよう当該区画壁を避けて屋内階段の中間部分を支持する柱を立設させなければならず、空間の有効活用が妨げられるという問題がある。また、場合によっては、柱を内部空間側に露出させなければならず、美観を損ねてしまうといった問題もある。
【０００７】
それゆえ、本発明は、区画壁に沿って屋内階段を設ける場合であっても、区画壁の耐火性能を損なったり、美観を損なったりすることなく、空間を有効に活用することが可能な構成を有する建物を提供することを目的とするものである。
【課題を解決するための手段】
【０００８】
本発明は、上記課題を解決するためになされたものであり、本発明の建物は、外周壁に囲まれた内部空間を第１空間と第２空間とに区画する区画壁と、前記第２空間において該区画壁に沿って設置された階段と、を備える建物であって、
前記区画壁は、第１面材、及び該第１面材が取り付けられた第１下地材を有するとともに所定の耐火性能を有する第１壁部と、
前記第１面材に対して前記第２空間側に対向配置された第２面材、及び該第２面材が取り付けられた第２下地材を有する第２壁部と、を備え、
前記第１壁部と前記第２壁部の間に、前記階段を支持する階段支持柱が設けられている、ことを特徴とするものである。
【０００９】
なお、本発明の建物にあっては、前記階段支持柱は、前記第２空間側から見た正面視において、前記第１下地材及び第２下地材に重ならないように配置されていることが好ましい。
【００１０】
また、本発明の建物にあっては、複数の前記第１下地材が、前記第１面材に沿って所定の間隔で立設されており、
複数の前記第２下地材が、前記第２面材に沿って所定の間隔で立設されており、
前記第１下地材及び第２下地材は、前記第２空間側から見た正面視において、互いに重ならないように配置されていることが好ましい。
【００１１】
また、本発明の建物にあっては、前記区画壁の内部において前記第１壁部と前記階段支持柱の間に遮音材が配置されていることが好ましい。
【００１２】
また、本発明の建物にあっては、前記階段支持柱は、前記区画壁の厚さ中心よりも前記第２面材側に配置されていることが好ましい。
【００１３】
また、本発明の建物にあっては、前記階段支持柱の中間部には、前記第２面材よりも前記第２空間側に突出するブラケットが設けられており、前記階段は該ブラケットを介して前記階段支持柱に支持されていることが好ましい。
【００１４】
また、本発明の建物にあっては、前記階段の段板部材における前記区画壁側の縁部が、前記区画壁に取り付けられた振動抑制手段によって上方から抑えられていることが好ましい。
【発明の効果】
【００１５】
本発明によれば、区画壁に沿って屋内階段を設ける場合であっても、区画壁の耐火性能を損なったり、美観を損なったりすることなく、空間を有効に活用することが可能な構成を有する建物を提供することができる。
【図面の簡単な説明】
【００１６】
【図１】本発明の一実施形態の建物を部分的に示す平面図である。
【図２】図１に示す区画壁の拡大断面図である。
【図３】図１における階段の構造体等を示す斜視図である。
【図４】図３における構造体等の側面視での部分拡大図である。
【図５】図１における階段の側面視での部分拡大図である
【図６】下側階段部または上側階段部の幅方向における拡大断面図である。
【図７】図１に示す階段の下側階段部の正面図である。
【発明を実施するための形態】
【００１７】
以下、本発明の一実施形態について、図面を参照して詳細に説明する。なお、各図において共通の構成には、同一の符号を付している。なお、以下で説明する建物（集合住宅１）は複数の階層を有するものであるが、説明の便宜上、特に断りのない限り、代表して１階について例示的に説明する。
【００１８】
図１は、本発明の一実施形態である建物としての集合住宅１を部分的に示す平面図である。図１に示すように、集合住宅１は、内部空間と屋外空間とを区画する外周壁２を有する。外周壁２は、例えば、表面側に防水層としての塗膜が形成された軽量気泡コンクリート（ＡＬＣ）からなる外装パネル材を連設することにより構成された外部仕上げ層と、例えば、フェノールフォーム等の発泡樹脂系の断熱パネル材を外装仕上げ層の内面に沿って連設することにより構成された断熱層と、石膏ボートと石膏ボード表面に貼設された壁クロス等の仕上げ材とで構成された内部仕上げ層と、を備えたものとすることができるが、特に限定されるものではない。外周壁２は、少なくとも所定の防火区画を形成可能な耐火性能及び防水性能を有するものであればよい。
【００１９】
外周壁２に囲まれた内部空間には、住戸部３（第１空間）と屋内共用部４（第２空間）とを備える。住戸部３と屋内共用部４は、区画壁５によって区画されている。住戸部３には、界壁６によって複数の住戸３ａ、３ｂが区画されている。
【００２０】
屋内共用部４には、区画壁５に沿って配置され、共用廊下４１と上階の共用廊下とを連絡する階段４２が設けられている。階段４２は折り返し階段であり、踊り場部４２ａ（折り返し部）と、踊り場部４２ａと下階の床とを連絡する直線状の下側階段部４２ｂと、踊り場部４２ａと上階の床とを連絡する直線状の上側階段部４２ｃとを備える。
【００２１】
区画壁５には、各住戸３ａ、３ｂへの出入り口となる開口部７が形成されており、当該開口部７には、住戸部玄関ドア８が設けられている。
【００２２】
１階の共用廊下４１に面した外周壁２には、屋内共用部４と外部空間とを連通させる開口部４３が形成され、開口部４３には共用玄関ドア４４が設けられている。屋内共用部４の最上階の上方は屋根で覆われており、これにより、全ての階層の屋内共用部４が外部空間と区画されている。なお、屋内共用部４には、さらにエレベータ等の機械式の昇降手段を設けてもよいし、吹抜けを設けてもよい。
【００２３】
図２に拡大して示すように、区画壁５は住戸部３側に設けられた第１壁部５１と、屋内共用部４側に設けられた第２壁部５２と、を備える。
【００２４】
第１壁部５１は、略コ字状断面或いは略ロ字状断面の柱状の軽鉄スタッド材からなり所定の間隔で立設された第１下地材５１ａと、２枚重ねの強化石膏ボードからなり第１下地材５１ａに対してビス等の固定具によって取り付けられた第１面材５１ｂとを備える。
【００２５】
第１下地材５１ａは、床面に固定された下部ランナー材と上階の梁もしくは床スラブに固定された上部ランナー材とによって、下端と上端とが位置決めされるとともに互いに連結されている。第１面材５１ｂを構成する強化石膏ボードは、芯材部分に無機繊維材料を混入することによって耐火性が強化された石膏ボードであり、１枚が２１ｍｍの厚さを有する。また、第１面材５１ｂを構成する強化石膏ボードは、隣接する強化石膏ボードとの目地部（接合部）が、内面側と外面側とで重ならないように貼着されている。
【００２６】
第１壁部５１は、建築基準法等の法令等に規定された１時間の耐火性能を有する間仕切壁であり、住戸部３側からの１時間の火熱の照射試験に加え、第２壁部５２側からの火熱の照射試験もクリアするものである。
【００２７】
第２壁部５２は、略コ字断面の柱状の軽鉄スタッド材からなり所定の間隔で立設された第２下地材５２ａと、２枚重ねの石膏ボードからなり、第２下地材５２ａに対してビス等の固定具によって取り付けられた第２面材５２ｂとを備える。第２下地材５２ａは、床面に固定された下部ランナー材と上階の梁もしくは床スラブに固定された上部ランナー材とによって、下端と上端とが位置決めされるとともに互いに連結されている。第２面材５２ｂを構成する石膏ボードは、１枚が１２．５ｍｍの厚さを有するとともに、隣接する強化石膏ボードとの目地部（接合部）が、内面側と外面側とで重ならないように貼着されている。また、第２面材５２ｂの表面には壁クロス等の仕上げ材５６が貼設されている。
【００２８】
第１壁部５１と第２壁部５２とは、区画壁５の厚さ方向（第１面材５１ｂ及び第２面材５２ｂの表面に直交する方向）に離間して配置されており、その相互間には、空洞部５３が形成されている。また、第１壁部５１と第２壁部５２の間には、階段４２を支持するための階段支持柱１１が立設されている。階段支持柱１１の中間部には、階段支持柱１１の外面から延びて第２面材５２よりも屋内共用部４側に突出するブラケット１２が設けられている。階段４２の踊り場部４２ａは、当該ブラケット１２を介して、階段支持柱１１によって支持されている。ブラケット１２は、略ロ字状断面の柱状材であり、階段支持柱１１に溶接等により固定されている。なお、ブラケット１２の形状、及び階段支持柱１１に対する固定方法は特に限定されない。
【００２９】
このように、階段支持柱１１にブラケット１２を設けることにより、第２面材５２ｂに形成される孔部５２ｃ、あるいは切り欠き部等の欠損を最小限度に抑えることが可能となる。これにより、共用部４から住戸部３側に振動及び騒音がより伝わり難くなる。
【００３０】
階段支持柱１１は、屋内共用部４側から見た正面視において、第１下地材５１ａ及び第２下地材５２ａに重ならないように配置されている。これにより、区画壁５全体の厚さを小さくすることができるとともに、空洞部５３における遮音材等を配置可能な空間を確保し易くなる。また、階段支持柱１１は第１下地材５１ａ及び第２下地材５２ａから離間した位置に配置されている。
【００３１】
また、階段支持柱１１は、区画壁５の厚さ方向の中心（図２に直線Ｌで示す）よりも屋内共用部４側に配置されている。これにより、階段支持柱１１と第１壁部５１との間に、空間を確保し易くなるので、例えば空洞部５３にロックウール等の遮音材を配置する場合に、当該遮音材を連続した状態で配置し易くなり、遮音性の向上効果を高めることが可能となる。また、階段４２の踊り場部４２ａに近い距離に階段支持柱１１を配置することで、ブラケット１２の長さを小さくすることも可能となる。これによれば、階段支持柱１１にかかるモーメントを小さくして、より安定した状態で階段４２を支持することができる。なお、本実施形態において区画壁５は、区画壁５の厚さ方向の中心線Ｌが、建物の基本モジュールの基準線（通り芯）に一致するように設けられている。
【００３２】
このような区画壁５では、第１面材５１ｂと第１下地材５１ａとを有する第１壁部５１によって耐火性能が担保されているので、第２壁部５２に耐火性能を持たせる必要がない。従って、区画壁５に要求される耐火性能を確保しつつ、第２面材５２ｂに、ブラケット１２を貫通させる孔部５２ｃを形成することができる。なお、この孔部５２ｃを設ける位置は、第２面材５２ｂにおける継ぎ目に接する位置であることが好ましい。これによれば、孔部５２ｃの加工が容易となり、さらに、ブラケット１２の周囲に隙間が生じ難くなるので、階段４２の昇降時の振動及び騒音が住戸部３側により伝わり難くなる。また、この場合、ブラケット１２の形状は、第２面材５２ｂの継ぎ目の方向に沿う形状であることが好ましく、例えば、継ぎ目が縦方向（鉛直方向）に延在する場合には、ブラケット１２が縦板状または四角筒状等であることが好ましい。
【００３３】
また、第１壁部５１で耐火性能を担保することにより第２壁部５２に耐火性能を持たせる必要がなくなるので、第２面材５２ｂの選択の自由度が高くなり、装飾性や意匠性を持たせることが容易である。しかも、第１壁部５１のみの構成で耐火性能が担保されているので、第１下地材５１ａと第２下地材５２ａとの間には他の面材等を介在させる必要がなく、区画壁５全体の厚さを小さくすることができる。
【００３４】
また、第１下地材５１ａと第２下地材５２ａとは、屋内共用部４側から見た正面視において、互いに重ならないように配置されている。より具体的には、本実施形態では、第１下地材５１ａと第２下地材５２ａとが、第１面材５１ｂと第２面材５２ｂとの間で、平面視において略千鳥状に、互いに離隔した状態で立設されている。第１下地材５１ａと第２下地材５２ａとが千鳥状に配置されていることで、互いに干渉しにくくなって、第１壁部５１と第２壁部５２とを近接させることができ、区画壁５の厚さを小さくすることができる。
【００３５】
また、第１壁部５１と第２壁部５２との間の空洞部５３には、ロックウール等の遮音材を配置することが好ましく、これによれば、区画壁５の遮音性を高めることができ、例えば階段４２を昇降する際等の振動や騒音が、住戸部３側に伝わり難くなる。また上述のように、遮音材を、第１壁部５１と階段支持柱１１との間に配置することにより、遮音材の連続性を確保することができ、より効果的に区画壁５の遮音性を高めることができる。なお、ロックウール等の耐火性、断熱性を有する部材を空洞部５３に配置することで、遮音性のみならず、区画壁５の耐火性、断熱性等も高めることができ、住戸部３の温熱環境の向上にも寄与する。さらに、本例では第１下地材５１ａと第２下地材５２ａとが平面視において千鳥状に配置されているので、区画壁５全体の厚さを小さくしても、空洞部５３に狭窄な部位が発生し難く、遮音材が押し潰されることによる性能低下を抑制することができる。なお、空洞部５３には、電力ケーブル、通信ケーブル、ガス管、給水管、給湯管等の、設備・情報関連の配線・配管を通すことが可能である。
【００３６】
第１面材５１ｂの住戸部３側の面には、ポリエチレン等の防湿フィルムにより防湿層５４が形成されている（図２の破線参照）。更に、防湿層５４の住戸部３側の面には、内装部材としての石膏ボードと石膏ボードの表面に貼設された壁クロスとによって構成された内装仕上げ層５５が形成されている。
【００３７】
ここで、図３は、階段４２を構成する構造体等を示す斜視図である。図３に示すように、階段支持柱１１の上端部は、断面略コ字状の接続部材１３を介して、上階の床梁１４に対してボルト等の締結部材により固定されている。階段支持柱１１の下端部は、接続部材１３を介して下階の梁または基礎にボルト等の締結部材により固定される。例えば、本例のように階段４２が１階と２階とを繋ぐ場合、階段支持柱１１の下端部は接続部材１３を介して基礎の上端面に載置され、基礎に埋設されたアンカーボルトを用いて固定される。
【００３８】
図４は、階段４２を構成する構造体等の側面の部分拡大図であり、図５は、階段４２の側面の部分拡大図である。本例において、階段支持柱１１に溶接されたブラケット１２は、踊り場部４２ａの幅方向全体にわたって延在する断面略コ字状の補助部材１５等を介して桁部材６１ａ、６１ｂの水平部に固定されている。このように、桁部材６１ａ、６１ｂの水平部は、階段支持柱１１によって支持されている。なお、下側の一対の桁部材６１ａのうち幅方向内側に位置する桁部材６１ａの傾斜部と、上側の一対の桁部材６１ｂのうち幅方向内側に位置する桁部材６１ｂの傾斜部とを、鉛直方向に立設する柱状部材等により相互に接続することも可能である。この場合には、階段４２の安定性をさらに高めることで、昇降時の振動および騒音等をさらに抑制することができる。
【００３９】
階段４２に作用する荷重を負担する骨組みである構造体は、主に鋼製の桁部材６１ａ、６１ｂと段板部材６２（６２Ａ、６２Ｂ、６２Ｃ）とで構成されている。桁部材６１ａ、６１ｂは、傾斜部と水平部とを備えた略「へ」字状の部材である。下側階段部４２ｂ及び上側階段部４２ｃは、鋼板を側面視略山形状に折り曲げて踏み面部６２ａと蹴込み部６２ｂとが形成された複数の段板部材６２Ａを、一対の桁部材６１ａ及び一対の桁部材６１ｂの夫々の傾斜部にボルト接合することにより、それぞれ形成されている。
【００４０】
また、踊り場部４２ａは、一対の桁部材６１ａの水平部に断面視略Ｌ字状の段板部材６２Ｂをボルト接合するとともに、一対の桁部材６１ｂの水平部に板状の段板部材６２Ｃをボルト接合することにより形成されている。なお、各段板部材６２の外縁部分は、外側に配置された桁部材６１ａ、６１ｂよりも突出している。
【００４１】
図５に示すように、段板部材６２Ａ（６２Ｂ、６２Ｃも同様）の表面には、防振ゴム等からなる床下地材６３が貼着され、更に床下地材６３の表面には、タイルカーペットや塩化ビニル製化粧シート等の仕上げ材６４が貼着されている。また、階段４２の幅方向両側の第２壁部２ｂ（第２面材５２ｂ）には、薄板状の巾木６５（振動抑制手段）が、段板部材６２の幅方向における端縁に沿って延在するように取り付けられている。巾木６５は、仕上げ材６４と第２面材５２ｂの表面の仕上げ材５６とを見切る見切り材としての機能も有する。
【００４２】
図６は、下側階段部４２ｂまたは上側階段部４２ｃの幅方向の縦断面拡大図であり、巾木６５は、その段板部材６２側の端面が床下地材６３の表面に当接するように、第２壁部５２の第２面材５２ｂに固定されている。このような構成により、図５、６に示すように踏み面部６２ａの端縁が上方向から押さえられると共に、蹴込み部６２ｂの端縁が正面方向から押さえられた状態、すなわち、巾木６５によって段板部材６２が区画壁５に拘束された状態が実現される。これにより、第１壁部５ａを分断することなく（すなわち区画壁５の耐火性能の低下を招くことなく）、居住者等が昇降する際の階段４２の振動及び騒音を抑制することができ、集合住宅１の住環境を向上させることができる。なお、階段４２の構成は、段板部材６２の端縁が分割された第２面材５２ｂによって挟み込まれるようにして、第２面材５２ｂで直接拘束されるようにしてもよい。
【００４３】
図７は階段４２の下側階段部４２ｂの正面図である。手摺６６は、階段４２の構造体には固定されず、床９から立ち上げられた壁９１に、ビス等の締結手段を用いて固定されている。このようにすることで、手摺６６を介して階段４２の構造体に荷重が伝わりにくく、手摺６６が構造体に固定される構成よりも、構造体の構成をより単純化することができるとともに、手摺６６の形状や配置のバリエーションを容易に増やすことができる。なお、手摺６６は、上記の利点を得るためには必ずしも壁６１に固定されている必要はなく、第２壁部５２に固定するようにしてもよい。
【００４４】
なお、階段４２は、折り返し階段に限られるものではなく、直階段、Ｌ字階段等であってもよい。何れの場合にも、階段に隣接する区画壁の内部には、当該区画壁の第１壁部の耐火性能を損なうことなく階段を支持する階段支持柱が設けられる。
【００４５】
本発明に係る建物は、上述した実施形態の構成に限定されるものではなく、特許請求の範囲で記載された内容を逸脱しない範囲で、様々な構成により実現することが可能である。例えば、メゾネット形式（複数の階層を有する住戸を平面的につなげた形態）の集合住宅（二世帯住宅を含む）において、隣接する２つの住戸を区画する界壁に沿って、階段を設けることもできる。その場合、２つの住戸のうち階段を設ける何れか一方が第２空間となり、他方が第１空間となる。また、第１空間及び第２空間は住戸または屋内共用部に限定されず、例えば店舗や事務所でもよい。また、第１面材５１ｂとして、２枚重ねの強化石膏ボードにかえて、厚さ５０ｍｍ以下の軽量気泡コンクリート（ＡＬＣ）パネルを用いてもよい。
【００４６】
また、先の実施形態の集合住宅１の各階には、１以上の任意の数の住戸を設けることができる。また、間取りも特に限定されるものではなく、敷地の形態、法規制等の与条件に応じて適宜設計することができる。
【符号の説明】
【００４７】
１：集合住宅（建物）
２：外周壁
３：住戸部（第１空間）
３ａ、３ｂ：住戸
４：屋内共用部（第２空間）
５：区画壁
６：界壁
７：開口部
８：住戸部玄関ドア
９：床
１１：階段支持柱
１２：ブラケット
１３：接続部材
１４：床梁
１５：補助部材
４１：共用廊下
４２：階段
４２ａ：踊り場部
４２ｂ：下側階段部
４２ｃ：上側階段部
４３：開口部
４４：共用玄関ドア
５１：第１壁部
５１ａ：第１下地材
５１ｂ：第１面材
５２：第２壁部
５２ａ：第２下地材
５２ｂ：第２面材
５２ｃ：孔部
５３：空洞部
５４：防湿層
５５：内装仕上げ層
５６：仕上げ材
６１ａ、６１ｂ：桁部材
６２Ａ、６２Ｂ、６２Ｃ：段板部材
６２ａ：踏み面部
６２ｂ：蹴込み部
６３：床下地材
６４：仕上げ材
６５：巾木（振動抑制手段）
６６：手摺
９１：壁
【図１】
2018168578.tif 000003
【図２】
2018168578.tif 000004
【図３】
2018168578.tif 000005
【図４】
2018168578.tif 000006
【図５】
2018168578.tif 000007
【図６】
2018168578.tif 000008
【図７】
2018168578.tif 000009